(57)【特許請求の範囲】
【請求項１】
表示部と、
前記表示部に所定の機能に関するアイコンを表示させ、当該アイコンが選択されると、前記所定の機能の設定を行う制御部と、
を備え、
前記制御部は、前記所定の機能が初期設定である場合には前記アイコンを前記表示部に表示し、前記所定の機能の設定が行われると前記アイコンを前記表示部に表示しない
ことを特徴とする携帯電子機器。
【請求項２】
前記制御部は、リセット操作がなされると前記所定の機能を初期設定に戻す
ことを特徴とする請求項１に記載の携帯電子機器。
【請求項３】
表示部を備える携帯電子機器における表示制御方法であって、
前記携帯電子機器が、所定の機能が初期設定である場合には前記所定の機能に関するアイコンを前記表示部に表示し、前記所定の機能の設定が行われると前記アイコンを前記表示部に表示しない
ことを特徴とする表示制御方法。
【発明の詳細な説明】
【技術分野】
【０００１】
本発明は、表示機能を有する携帯電子機器及び表示制御方法に関する。
【背景技術】
【０００２】
携帯電話等の端末装置において、標準画面（待ち受け画面）に位置調整およびサイズ調整可能な複数のメモを貼り付けることができるものがある。
特に、特許文献１には、表示部に貼り付けメモと呼ばれる所定の大きさのウィンドウ（データ表示領域）を複数個表示させることができる端末装置が開示されている。
【先行技術文献】
【特許文献】
【０００３】
【特許文献１】特開２００５−５１３１６号公報
【発明の概要】
【発明が解決しようとする課題】
【０００４】
特許文献１に開示された技術では、標準画面において、貼り付けメモを表示する際にウインドウサイズを選択することが可能であった。
すなわち、貼り付けメモの内容に関連するアイコンのみを表示させる態様と、貼り付けメモの内容（の一部）がテキストとして表示される態様とである。
アイコンのみが表示されている場合、アイコンを選択することにより、そのアイコンに対応付けられたテキストが表示されるようになっている。
【０００５】
しかし、特許文献１に開示された端末装置は、端末のユーザが任意に選択した機能に関するアイコンを貼り付けメモとして標準画面にユーザ自身によって表示させる構成であった。
よって、特許文献１に開示された、貼り付けメモをユーザ自身が設定して表示させる通信装置では、端末装置の購入直後のようにユーザにとって使い始めたばかりの初期状態では、ユーザには各種機能が備わっていることが端末装置からは何もアナウンスされないために、端末装置に各種機能が備えられていることがユーザに認知されにくく、使い勝手が悪い、という不利益があった。
【０００６】
本発明は、上述した不利益を解消するために、ユーザに所定の機能の存在が認知されやすく、使い勝手が良い携帯電子機器を提供することを目的とする。
【課題を解決するための手段】
【０００７】
上記目的を達成するため、本発明の第１の観点によれば、携帯電子機器であって、表示部と、前記表示部に所定の機能に関するアイコンを表示させ、当該アイコンが選択されると、前記所定の機能の設定を行う制御部と、を備え、前記制御部は、前記所定の機能が初期設定である場合には前記アイコンを前記表示部に表示し、前記所定の機能の設定が行われると前記アイコンを前記表示部に表示しないことを特徴とする。
【０００８】
好適には、前記制御部は、リセット操作がなされると前記所定の機能を初期設定に戻すことを特徴とする。
【０００９】
また、本発明の第２の観点によれば、表示部を備える携帯電子機器における表示制御方法であって、前記携帯電子機器が、所定の機能が初期設定である場合には前記所定の機能に関するアイコンを前記表示部に表示し、前記所定の機能の設定が行われると前記アイコンを前記表示部に表示しないことを特徴とする。
【発明の効果】
【００１０】
本発明によれば、ユーザに所定の機能の存在が認知されやすく、使い勝手が良い携帯電子機器を提供することができる。
【図面の簡単な説明】
【００１１】
【図１】図１は、携帯端末１００の構成を示すブロック図である。
【図２】図２は、携帯端末１００の外観を示す図である。
【図３】図３は、表示制御部５１が表示部２に表示させたショートカットアイコンの一例を示す図である。
【図４】図４は、ショートカットアイコン表示時の携帯端末１００の処理について説明するためのフローチャートである。
【発明を実施するための形態】
【００１２】
以下、本実施形態の携帯端末１００について説明する。
なお、本実施形態では、携帯端末の一例として携帯電話機を用いて説明する。
図１は、携帯端末１００の構成を示すブロック図である。
図１に示すように、携帯端末１００は、表示部２、操作部３、電源部４、制御部５が筐体１に内包されている構造となっている。
また、図１に示すように、制御部５は、表示制御部５１と、機能設定制御部５２と、電力供給制御部５３とを有する。
【００１３】
図２は、携帯端末１００の外観を示す図である。
筐体１は、例えば図２に示すように第１筐体１１と第２筐体１２とからなり、図２（ａ）に示すように、第１筐体１１と第２筐体１２とが開いた状態（第１状態）と、図２（ｂ）に示すように第１筐体１１と第２筐体１２とが閉じた状態（第２状態）とを遷移可能であるように、第１筐体１１と第２筐体１２とは、例えばヒンジ部１３等によって開閉可能に接続されている。
【００１４】
表示部２は、ＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）等の表示デバイスであり、図２（ａ）に示すように、第２筐体１２の一方側の面（正面）１２ａに配置されている。
図２（ｂ）に示すように、表示部２が配置された面１２ａは、上述した第２状態（閉じた状態）になったときに隠れて見えなくなる面であり、第２状態では表示部２は第１筐体１１によって被覆される。
操作部３は、主操作部（第１操作部）３１と副操作部（第２操作部）３２とからなる。
主操作部３１は、図２（ａ）に示すように、第１筐体１１の一方側の面（正面）１１ａに配置されている。
図２（ｂ）に示すように、主操作部３１が配置された面１１ａは、上述した第２状態（閉じた状態）になったときに隠れて見えなくなる面であり、第２状態では主操作部３１は第２筐体１２によって被覆される。
【００１５】
主操作部３１は、例えば、文字入力キーも兼ねたテンキー、上下左右の操作を行う十字キー、決定キー、各種機能キー等からなる。
【００１６】
副操作部３２は、図２（ａ）及び（ｂ）に示されるように、第１筐体１１の側面部に配置されているサイドキー３２ａと第２筐体１２の表示部２が配置された面１２ａとは反対側の面（背面）１２ｂに配置されているワンタッチキー３２ｂとを有して構成される。
すなわち、副操作部３２は、筐体１が第２状態になったときにでも露出される位置に配置されて操作可能に構成されている。
なお、副操作部３２の位置については、筐体１が第２状態になったときにでも操作可能に露出される位置に配置されていればどこでもよく、本発明では限定しない。
例えば、第２筐体１２の側面部、第１筐体の背面１１ｂやヒンジ部１３等に配置されていてもよい。
【００１７】
電源部４は、例えば第１筐体１１内に内蔵（収納）された二次電池（リチウムイオン電池等）４ａを有し、後述する電力供給制御部５３の制御に従って携帯端末１００内の各電子機器（電子部品）に電力を供給する。
【００１８】
制御部５は、携帯端末１００全体の動作を統括的に制御する。
また、制御部５は、表示制御部５１と、機能設定制御部５２と、電力供給制御部５３とを有する。
表示制御部５１は、画像や各種情報を表示する表示部２での表示を制御する。
表示制御部５１は、表示部２に表示される画面が待ち受け画面（標準画面）であるときに、従来技術と同様に、待ち受け画面上に貼り付けメモを、所定の大きさのウインドウ（データ表示領域）で複数個表示可能としている。
【００１９】
そして、表示制御部５１は、制御部５によって動作制御される複数の機能（例えば、マナー機能、メール機能、アドレス帳機能、アラーム機能、スケジュール機能、電卓機能、音楽再生機能等）のいずれかの所定の機能を起動するためのショートカットアイコンや当該複数の機能のうちのいずれかの所定の機能の設定動作を行うためのショートカットアイコンを貼り付けメモとして表示したり、任意のテキストメモを貼り付けメモとして表示したりする。
表示部２に貼り付けメモとしてショートカットアイコンが表示されているときに、ユーザが操作部３の操作によって表示されているショートカットアイコンの１つを選択すると、この選択されたショートカットアイコンが所定の機能を起動させるための起動ショートカットアイコンである場合には、当該起動ショートカットアイコンに関連付けられている所定の機能が制御部５によって起動され、選択されたショートカットアイコンが所定の機能の設定動作を行うための設定ショートカットアイコンである場合には、後述する機能設定制御部５１によって、当該設定ショートカットアイコンに関連付けられている所定の機能が予め決定されている動作状態に設定されたり、所定の機能の動作状態を設定するための設定画面が表示部２に表示されたりする。
これらショートカットアイコンについては、後に詳しく説明する。
【００２０】
機能設定制御部５２は、上述したように、表示部２に表示された設定ショートカットアイコンが操作部３を介してユーザに選択されると、選択された設定ショートカットアイコンに対応した所定の機能を所定の動作状態に設定したり、対応する所定の機能の動作状態を設定するための設定画面を表示部２に表示させるように表示制御部５１に指示したりする。
電力供給制御部５３は、電源部４を制御して、二次電池から表示部２等の携帯端末１００内の各電子機器への電力供給を制御する。
【００２１】
次に、表示制御部５１が表示部２に表示させるショートカットアイコンについて説明する。
図３は、表示制御部５１が表示部２に表示させたショートカットアイコンの一例を示す図である。
【００２２】
図３（ａ）は、携帯端末１００の初期状態における待ち受け画面を示している。
初期状態とは、工場から出荷された直後や携帯端末１００がユーザに販売される直前の状態であり、あるいは、ユーザの操作によって携帯端末１００の各種設定がリセットされた状態である。
図３（ａ）に示すように、ショートカットアイコン２１が待ち受け画面上に表示されている。
ショートカットアイコン２１の数は、図３（ａ）においては４個であるが、これは一例であり、本発明においては初期状態において表示されるショートカットアイコン２１の数は何個でも良い。
ただし、この数は待ち受け画面に表示可能なショートカットアイコンの最大数より少なくする必要がある。
【００２３】
ショートカットアイコン２１には、種々の機能を割り当てることができる。
例えば、起動ショートカットアイコンには、アラーム機能、カレンダ機能、スケジュール機能、タスクリスト機能、メモ機能、マナーモード機能、等の複数の機能のうちの任意の機能の起動が割り当てられており、ユーザが起動ショートカットアイコンを選択することによって、制御部５が、上述したような各種機能のうちの関連付けられた所定の機能を起動することができる。
【００２４】
また、設定ショートカットアイコンには、省電力設定、副操作部動作設定、アラーム設定、マナーモード設定、等の各種機能に関する動作状態の設定が割り当てられており、ユーザが設定ショートカットアイコンを選択することにより、機能設定制御部５２が関連付けられた所定の機能の動作状態の設定を行う。
この設定ショートカットアイコンの選択による所定の機能の動作状態の設定は、所定の機能の動作状態を予め決定された動作状態に設定したり、所定の機能の動作状態を設定するための設定画面を表示部２に表示させて設定操作をユーザに促して認識させたりするものである。
この設定ショートカットアイコンの選択による所定の機能の動作状態の設定を両者のいずれかとするかは、設定ショートカットアイコンの表示設定を行う際にユーザによって任意に選択されることができるとともに、初期状態で表示される設定ショートカットアイコンは所定の機能の動作状態を設定するための設定画面を表示させる機能とされる。
【００２５】
まず、設定ショートカットアイコンが所定の機能を予め決定された動作状態に設定する（移行させる）機能である場合について説明する。
省電力設定の場合には、省電力モードに移行されて、通常状態に対して各電子機器（電子部品）への電力供給量や各電子機器（電子部品）の消費電力量が抑制される状態である省電力状態に設定される。
この省電力モードでは、無操作時の表示部２の表示時間や表示部２のバックライトの点灯時間や主操作部３１のバックライトの点灯時間が短縮されたり、各バックライトの光量が低減されたり、制御部５内での制御処理の実施回数が抑制されるなどして、各電子機器（電子部品）での電力消費が抑えられたり、各電子機器への電力供給量が抑えられたりする。
副操作部動作設定の場合には、サイドキー３２ａ又はワンタッチキー３２ｂの操作による動作内容が予め決定されている動作内容に設定される。
例えば、副操作部３２の操作による動作が、第２筐体１２の背面１２ｂのワンタッチキー３２ｂの隣に配置されているサブディスプレイ２ａの表示や、着信の応答保留などの動作に設定される。
アラーム設定の場合には、アラーム時刻やアラーム状態が予め設定されているアラーム（例えば、アラーム時刻：月〜金の午前７時００分、音量：５、アラーム音：パターン１のアラーム）をオン状態に設定する。
マナーモード設定の場合には、マナーモードがオン状態となって、予め決定されたマナー設定状態（例えば、着信音量：サイレント、バイブレータ：オン、簡易留守録：オンのマナー設定状態）となる。
【００２６】
次に、設定ショートカットアイコンが、所定の機能の動作状態を設定するための設定画面を表示部２に表示させる機能である場合について説明する。
省電力設定の場合には、携帯端末１００の省電力機能を設定するための設定画面が表示される。
この省電力機能の設定画面が表示されると、ユーザは当該機能における各項目（例えば、表示部２をブラックアウトさせるための無操作時間や、主操作部３１のバックライトの表示時間や、サブディスプレイ２ａの表示時間等）を任意に設定して、任意の省電力状態に設定することができる。
なお、設定画面では、上述した省電力モードをオン状態とするかオフ状態とするかを選択させるように構成してもよい。
副操作部割り当て設定の場合には、例えば副操作部３２のワンタッチキー３２ｂの操作に対する動作内容を設定するための設定画面が表示される。
このワンタッチキー３２ｂの操作設定画面が表示されると、ユーザは各種状態でのワンタッチキー３２ｂの押下操作時の動作内容を任意に設定することができる。
例えば、待ち受け状態での着信時における押下操作による動作内容を設定（例えば、着信応答、着信保留、簡易留守録、マナーモード移行、などの複数の動作内容から任意の動作内容を選択）したり、待ち受け状態での長押し押下操作による動作内容を設定（例えば、音楽再生機能の起動、ラジオ機能の起動、テレビ機能の起動、カメラ機能の起動、マナーモード機能の設定／解除等の複数の動作内容から任意の動作内容を選択）したりすることができる。
サイドキー３２ａの操作時の動作内容も同様に任意に設定することができるようにしてもよい。
このように、表示される設定画面に副操作部３２に割り当て可能な機能（動作内容）をリストアップして表示し、ユーザに選択・決定させた後には、副操作部３２に選択・決定された機能（動作内容）が割り当てられることとなり、副操作部３２に割り当てる機能をユーザが任意に設定することができ、利便性が向上される。
【００２７】
アラーム設定の場合には、アラーム機能のアラーム動作を設定するための設定画面が表示される。
すなわち、アラームを鳴らす時間、アラームを鳴らす日（日付指定、曜日指定等）、鳴動時間、鳴動回数等をユーザが任意に設定することができる。
ユーザが設定したアラーム設定を基に、携帯端末１００のアラーム機能が起動・実行される。
マナーモード設定の場合には、マナーモード機能でのマナーモード状態における各種動作内容の設定画面が表示される。
すなわち、電話着信時、ｅメール着信時、キー操作時等の音の出力状態や音量を設定したり、着信時のバイブレータの動作状態や簡易留守録の動作状態を設定したりすることができる。
なお、上述した、ショートカットアイコン２１に割り当て可能な機能は本発明では限定しない。
携帯端末１００の実行可能な機能であれば、割り当てることができる。
【００２８】
そして本実施形態では、初期状態において「メモ設定」、「省電力設定」、「アラーム設定」、「ワンタッチキー割り当て設定」の４つの設定ショートカットアイコンが待ち受け画面に表示されるように構成されている。
【００２９】
図３（ａ）に示した初期状態での待ち受け画面において、例えばユーザが主操作部３１の上下キーを押下することにより、図３（ｂ）に示すように、ショートカットアイコン２１のいずれか１つにカーソルが当たった状態になる。
なお、ここでは「カーソルが当たった」と表現したが、実際には、ショートカットアイコン２１のうち１つが選択されていることが見て理解できるように表示すればよい。
例えば、反転表示する、色を変えて表示する、等でもよい。
以下では、ショートカットアイコン２１の内の１つが選択されていることを見て理解できるように表示されたことを、「カーソルが当たる」と表現することにする。
【００３０】
表示制御部５１は、図３（ｂ）に示すように、カーソルが当たったショートカットアイコン２１の右側の表示領域に、当該ショートカットアイコンに対応するテキストを表示する。
具体的には、選択されているショートカットアイコンに対応付けられている機能の名称等を表示する。
すなわち、例えば図３（ｂ）に示すように、省電力機能のショートカットアイコンにカーソルが当たっている場合には、「省電力機能設定」というテキストをショートカットアイコンの右側の表示領域に表示する。
これによって、どのアイコンにどのような機能が割り当てられているかがユーザにとって分かりにくい、という事態を回避することができる。
なお、省電力機能以外のショートカットアイコンにカーソルが当たっている場合には、カーソルが当たったアイコンに対応したテキストが表示される。
例えば、副操作部割り当て機能の場合は、「ワンタッチキー割り当て設定」、アラーム機能の場合は、「アラーム設定」等の表示がなされる。
【００３１】
次に、ユーザによって操作部３が操作され図３（ｂ）においてカーソルが当てられているショートカットアイコン（「省電力機能設定」）の選択が決定された場合には、機能設定制御部５２が、省電力機能の設定画面を表示制御部５１に表示させる。
省電力機能の設定画面においてユーザは、省電力機能での動作内容を設定する。
電力供給制御部５４は、設定された省電力機能の動作内容に応じて、携帯端末１００の各電子機器に供給する電力量や各電子機器で消費される電力量を制御する。
省電力機能の設定画面についてはどのような形態の画面であってもよく、説明を省略する。
なお、ユーザにより決定されたショートカットアイコンが「省電力機能設定」以外の場合には、それぞれのアイコンに対応した機能の動作内容を設定するための設定画面を表示制御部５１が表示部２に表示する。
例えば、「ワンタッチキー割り当て設定」の場合は、副操作部３２のワンタッチキー３２ｂに対して割り当てる機能をリストアップし、ユーザに選択・決定させる画面を表示すればよいし、「アラーム設定」の場合は、ユーザがアラームのなる時刻、曜日等を設定できるアラーム設定画面を表示制御部５１が表示部２に表示すればよい。
【００３２】
次に、ユーザが操作部３を介して省電力機能の設定動作を行い、省電力機能の設定が完了した場合には、表示制御部５１は図３（ｃ）に示すように、待ち受け画面を表示部２に表示させる。
図３（ｃ）に示すように、省電力機能の設定がなされた後の待ち受け画面においては、省電力機能の設定に関するショートカットアイコンが表示されない。
なお、図３（ｃ）においては、図３（ａ）においては省電力機能のアイコンが表示されていた位置が空欄になっているが、本発明はこれには限定されず、例えば省電力機能のアイコンがあった位置を詰めて表示するようにしても良い。
また、メモ機能のように、設定終了後に待ち受け画面上に表示されるものがある場合には、表示制御部５１は、設定終了後には図３（ｄ）に示すような待ち受け画面を表示部２に表示させる。
すなわち、表示欄２２を新たに表示させる。
なお、図３（ｄ）では表示欄２２は枠を有しており、メモの内容がこの枠内に表示されるようになっている。
この枠は通常時は不透明であり、背景の待ち受け画像の表示を妨げるはが、この枠を半透明或いは透明に設定することも可能である。
メモ機能だけでなく、スケジュール機能、タスクリスト機能等でも表示枠２２内にユーザが設定した内容が表示される。
また、メモの内容が長く、当該枠内にメモの内容を表示しきることができない場合には、例えばユーザが操作部３を介して当該表示枠２２にカーソルを当てた際に、メモの内容をスクロール表示するようにしてもよい。
【００３３】
なお、ユーザによって予めショートカットアイコン表示・非表示についての設定を行うことができるようにしてもよい。
すなわち、初期設定状態の携帯端末１００に対し、待ち受け画面上に表示させるショートカットアイコン２１を自由に選択可能にしておくことができる。
この場合には、例えばユーザにとって省電力機能が不要であり使用するつもりがない場合に、当該ユーザにとって不要な省電力機能のショートカットアイコン２１が待ち受け画面上にいつまでも表示されている、といった事態を避けることができる。
さらに、機能の設定に関する設定ショートカットアイコンに対しては、ユーザによってショートカットアイコンの非表示が選択された後でも、ユーザが設定を完了するまでは非表示にしないこともできる。
すなわち、例えばユーザが「ワンタッチキー割り当て設定」を実施せずに「ワンタッチキー割り当て設定」に関する設定ショートカットアイコンを非表示に設定した（表示の解除操作が行われた）場合にも、「ワンタッチキー割り当て設定」のショートカットアイコンが待ち受け画面上に依然として表示され、ユーザにサイドキー割り当て設定を強いることによって、結果的に携帯端末１００の使い勝手がよくなる、といった効果が生じることも考えられる。
特に、「ワンタッチキー割り当て設定」の設定ショートカットアイコンを表示させることにより、ワンタッチキーに割り当てられる機能を任意に設定できることや、ワンタッチキーに割り当てられる機能を設定しなければならないことをユーザに認識させることができる。
【００３４】
また、ショートカットアイコン２１の表示・非表示についての設定をしなくとも、ショートカットアイコン２１に関する機能がオン状態に設定されている場合には当該機能のショートカットアイコン２１を待ち受け画面に表示しないようにし、当該機能がオフ状態になったらショートカットアイコンを表示するようにしてもよい。
すなわち、例えば、省電力機能がオン（省電力モード）になっている場合には待ち受け画面上から省電力設定のショートカットアイコンを消し、省電力機能がオフ（通常モード）になり通常状態に戻った際には省電力設定のショートカットアイコンを待ち受け画面上に表示すればよい。
なお、メモ機能やスケジュール機能等、テキスト表示用の表示枠２２が表示されるような機能の場合には、表示枠２２が表示されている際には当該機能のショートカットアイコンを表示しないようにしてもよいが、１つの表示枠内にメモやスケジュール等を表示させた後、ユーザがさらにメモやスケジュール等を登録したくなることも考えられるので、これら登録後に表示枠２２が表示される機能の場合には、登録後にもショートカットアイコンを表示させることが望ましい。
【００３５】
次に、携帯端末１００のショートカットアイコン表示時の処理について、図４に示すフローチャートに関連付けて説明する。
図４は、ショートカットアイコン表示時の携帯端末１００の処理について説明するためのフローチャートである。
ステップＳＴ１：  制御部５は、携帯端末１００が初期状態であるか否かを判別する。
初期状態とは、上述した通り、工場出荷時や販売時の設定、あるいはユーザによって全設定をリセットされた状態を指す。
なお、初期状態であるかそうでないかの判別方法は、本発明では限定しない。
初期設定であった場合はステップＳＴ２に進み、そうでない場合はステップＳＴ４に進む。
【００３６】
ステップＳＴ２：  プリセットされた設定に従って、表示制御部５１は表示部２にショートカットアイコンを表示させる。
プリセットされた設定とは、初期状態において待ち受け画面に表示されるショートカットアイコン、その数等の設定である。
ステップＳＴ３：  操作部３を介してユーザがショートカットアイコンのいずれか１つを選択した場合にはステップＳＴ４に進み、そうでない場合はステップＳＴ２に戻る。
【００３７】
ステップＳＴ４：  制御部５は、操作部３を介して、ステップＳＴ３において選択されたショートカットアイコンに対応した機能の設定動作を実施する。
特に、機能設定制御部５２は、選択された設定ショートカットアイコンに対応した機能を所定の動作状態に設定（移行）させたり、表示制御部５１に選択された設定ショートカットアイコンに対応した機能の設定画面を表示させる処理を実行したりする。
ステップＳＴ５：  ステップＳＴ４において、ショートカットアイコンに対応した機能の設定動作がオン状態に設定された場合はステップＳＴ６に進み、オン設定がなされずに設定動作がオフ状態に設定された場合には、ステップＳＴ７に進む。
【００３８】
ステップＳＴ６：  表示制御部５１は、ステップＳＴ５においてオン状態に設定された機能のショートカットアイコンを除いて、他のショートカットアイコンを含む待ち受け画面を表示部２に表示させる。
【００３９】
ただし、上述したように、設定された機能が表示枠２２に設定（登録）した内容を表示するメモ機能・スケジュール機能・タスクリスト機能の場合には、そのショートカットアイコンを表示したままの待ち受け画面を表示させてもよい。
ステップＳＴ７：  表示制御部５１は、ステップＳＴ５においてオフ状態に設定された機能のショートカットアイコンを含む待ち受け画面を表示部２に表示させる。
【００４０】
以上説明したように、本実施形態の携帯端末１００によれば、ユーザにとって使い始めたばかりの初期状態においても、所定の機能についての設定を行うことができるショートカットアイコンが待ち受け画面上に表示されているので、ショートカット機能をユーザに認知させることができ、また、ユーザに対して所定の機能の存在及び所定の機能の設定の必要性を認識させることもできるので、携帯端末１００の使い勝手が向上する。
また、所定の機能の設定動作を簡単に行うことが可能であり、便利である。
【００４１】
また、本実施形態の携帯端末１００によれば、省電力機能の設定に対応付けたショートカットアイコンを初期状態で待ち受け画面に表示させるため、ユーザに対して省電力機能の存在を強く訴えることができるとともに、省電力機能の設定を簡単に行うことができる。
そして、省電力状態の設定を容易に行うことができ、省電力化を好適に図ることができる。
【００４２】
さらに、本実施形態の携帯端末１００によれば、携帯端末１００が閉じた状態で外側に露出した位置に配置された副操作部３２に割り当てる動作をユーザが任意に設定することができる副操作部割り当て設定機能を有し、当該副操作部割り当て設定機能に対応したショートカットアイコンが初期状態の待ち受け画面に表示されているので、副操作部割り当て設定機能の存在をユーザに強く訴えることができ、ユーザが副操作部に割り当てる機能を簡単に設定することができるとともに、携帯端末１００の折り畳み状態（主操作部３１が露出していない状態）での操作性が向上し、使い勝手が良くなる。
【００４３】
さらに、メモ機能やスケジュール機能等、内容を待ち受け画面上に表示する機能の場合には、表示枠を設け、当該表示枠は半透明或いは透明にすることができるので、待ち受け画像の表示が妨げられる、という不利益を軽減できる。
さらに、登録した内容が表示枠内に表示しきれない場合には、ユーザが操作部を操作し当該表示枠にカーソルをあてた際には、テキストがスクロール表示するので、メモ機能等をいちいち起動せずとも内容を確認することができる。
【００４４】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【００４５】
上述した各実施形態では、初期状態の待ち受け画面に「メモ設定」、「省電力設定」、「アラーム設定」、「サイドキー割り当て設定」の４つのショートカットアイコンが表示されている場合について説明したが、本発明はこれには限定されない。
すなわち、初期状態のショートカットアイコンの数は４個でなくてもよく、表示されるショートカットアイコンについても、省電力機能及び副操作部割り当て設定機能に対応したショートカットアイコンさえ表示されていれば、他のショートカットアイコンに対応する機能はどれでも良い。
【００４６】
また、初期状態での待ち受け画面に表示されるショートカットアイコン２１を設定ショートカットアイコンとして、当該アイコンが選択されると対応する機能の動作内容を設定する設定画面を表示させるように構成したが、これに限定されることなく、当該アイコンが選択されると対応する機能を所定の動作内容に設定（移行）するように構成してもよい。
また、設定ショートカットアイコンだけでなく起動ショートカットアイコンを表示させるようにしてもよい。
さらに、携帯端末１００の一例である携帯電話機は、折り畳み式携帯電話に限定されることなく、スライド式携帯電話機やストレート式携帯電話機などの他の携帯電話に適用することも可能である。
また、本発明における携帯電子機器は、上述した携帯電話機に限定されることなく、他の携帯電子機器であってもよい。
【符号の説明】
【００４７】
１・・・筐体、１１・・・筐体、１２・・・筐体、１３・・・ヒンジ部、２・・・表示部、２１・・・ショートカットアイコン、２２・・・表示欄、３・・・操作部、３１・・・主操作部、３２・・・副操作部、４・・・電源部、５・・・制御部、５１・・・表示制御部、５２・・・機能設定制御部、５３・・・電力供給制御部
【図１】
0005562385.tif 000002
【図２】
0005562385.tif 000003
【図３】
0005562385.tif 000004
【図４】
0005562385.tif 000005